(57)【特許請求の範囲】
【請求項１】
自動券売機において、
第１のサービスを選択する第１の選択手段と、
前記第１の選択手段により選択された前記第１のサービスに基づいて決定された条件の範囲内で使用可能な第２のサービスを選択する第２の選択手段と、
前記第１の選択手段により選択された前記第１のサービスに対応した切符データ、および前記第２の選択手段により選択された前記第２のサービスに対応した楽曲データを取得する取得手段と、
前記取得手段により取得された前記切符データおよび前記楽曲データを、前記楽曲データの読み出しが許容されているか否かを判定するために必要な第３のデータが記録される乗車券に記録する記録手段と
を備え、
前記第３のデータは、再生可能フラグまたは再生禁止フラグであり、前記自動券売機および自動改札機により設定される
ことを特徴とする自動券売機。
【請求項２】
自動券売機の情報処理方法において、
第１のサービスを選択する第１の選択ステップと、
前記第１の選択ステップの処理で選択された前記第１のサービスに基づいて決定された条件の範囲内で使用可能な第２のサービスを選択する第２の選択ステップと、
前記第１の選択ステップの処理で選択された前記第１のサービスに対応した切符データ、および前記第２の選択ステップの処理で選択された前記第２のサービスに対応した楽曲データを取得する取得ステップと、
前記取得ステップの処理で取得された前記切符データおよび前記楽曲データを、前記楽曲データの読み出しが許容されているか否かを判定するために必要な第３のデータが記録される乗車券に記録する記録ステップと
を含み、
前記第３のデータは、再生可能フラグまたは再生禁止フラグであり、前記自動券売機および自動改札機により設定される
ことを特徴とする自動券売機の情報処理方法。
【請求項３】
第１のサービスを選択する第１の選択ステップと、
前記第１の選択ステップの処理で選択された前記第１のサービスに基づいて決定された条件の範囲内で使用可能な第２のサービスを選択する第２の選択ステップと、
前記第１の選択ステップの処理で選択された前記第１のサービスに対応した切符データ、および前記第２の選択ステップの処理で選択された前記第２のサービスに対応した楽曲データを取得する取得ステップと、
前記取得ステップの処理で取得された前記切符データおよび前記楽曲データを、前記楽曲データの読み出しが許容されているか否かを判定するために必要な第３のデータが記録される乗車券に記録する記録ステップと
を含み、
前記第３のデータは、再生可能フラグまたは再生禁止フラグであり、自動券売機および自動改札機により設定される
ことを特徴とする処理をコンピュータに実行させるプログラムが記録されている記録媒体。
【発明の詳細な説明】
【０００１】
【発明の属する技術分野】
本発明は、自動券売機および情報処理方法、並びに記録媒体に関し、特に、提供するサービスに対応させて、コンテンツを供給することができるようにした自動券売機および情報処理方法、並びに記録媒体に関する。
【０００２】
【従来の技術】
近年、ネットワークを介して、楽曲データなど、それ自体に価値があるデータ（以下、コンテンツと称する）を提供するコンテンツ提供システムが存在する。
【０００３】
【発明が解決しようとする課題】
通常、コンテンツ提供システムにおけるコンテンツの提供は、いわゆるパーソナルコンピュータを介して行われる。利用者は、提供されたコンテンツを、そのパーソナルコンピュータまたは他の装置を介して、例えば再生する。
【０００４】
しかしながら、例えば、電車の乗車券を買うときに利用される自動券売機など、コンピュータ以外の装置を介してコンテンツを提供するコンテンツ提供システムは、提案されておらず、その結果、変化に富んだサービスを提供することができない課題があった。
【０００５】
本発明はこのような状況に鑑みてなされたものであり、変化に富んだサービスを提供することができるようにするものである。
【０００６】
【課題を解決するための手段】
請求項１に記載の情報処理装置は、第１のサービスを選択する第１の選択手段と、第１の選択手段により選択された第１のサービスに基づいて決定された条件の範囲内で使用可能な第２のサービスを選択する第２の選択手段と、第１の選択手段により選択された第１のサービスに対応した切符データ、および第２の選択手段により選択された第２のサービスに対応した楽曲データを取得する取得手段と、取得手段により取得された切符データおよび楽曲データを、楽曲データの読み出しが許容されているか否かを判定するために必要な第３のデータが記録される乗車券に記録する記録手段とを備え、第３のデータは、再生可能フラグまたは再生禁止フラグであり、自動券売機および自動改札機により設定されることを特徴とする。
【０００８】
請求項２に記載の情報処理方法は、第１のサービスを選択する第１の選択ステップと、第１の選択ステップの処理で選択された第１のサービスに基づいて決定された条件の範囲内で使用可能な第２のサービスを選択する第２の選択ステップと、第１の選択ステップの処理で選択された第１のサービスに対応した切符データ、および第２の選択ステップの処理で選択された第２のサービスに対応した楽曲データを取得する取得ステップと、取得ステップの処理で取得された切符データおよび楽曲データを、楽曲データの読み出しが許容されているか否かを判定するために必要な第３のデータが記録される乗車券に記録する記録ステップとを含み、第３のデータは、再生可能フラグまたは再生禁止フラグであり、自動券売機および自動改札機により設定されることを特徴とする。
【０００９】
請求項３に記載の記録媒体は、第１のサービスを選択する第１の選択ステップと、第１の選択ステップの処理で選択された第１のサービスに基づいて決定された条件の範囲内で使用可能な第２のサービスを選択する第２の選択ステップと、第１の選択ステップの処理で選択された第１のサービスに対応した切符データ、および第２の選択ステップの処理で選択された第２のサービスに対応した楽曲データを取得する取得ステップと、取得ステップの処理で取得された切符データおよび楽曲データを、楽曲データの読み出しが許容されているか否かを判定するために必要な第３のデータが記録される乗車券に記録する記録ステップとを含み、第３のデータは、再生可能フラグまたは再生禁止フラグであり、自動券売機および自動改札機により設定される
ことを特徴とする。
【００１０】
請求項１に記載の自動券売機、請求項２に記載の情報処理方法、および請求項３に記載の記録媒体においては、第１のサービスが選択され、選択された第１のサービスに基づいて決定された条件の範囲内で使用可能な第２のサービスが選択され、選択された第１のサービスに対応した切符データ、および選択された第２のサービスに対応した楽曲データが取得され、取得された切符データおよび楽曲データが、楽曲データの読み出しが許容されているか否かを判定するために必要な第３のデータが記録される乗車券に記録される。なお、第３のデータは、再生可能フラグまたは再生禁止フラグであり、自動券売機および自動改札機により設定される。
【００１１】
【発明の実施の形態】
図１は、本発明を適用した楽曲データ提供システムの利用例を示している。自動券売機１は、新幹線に乗車するために必要な、特急券付き乗車券（以下、単に、乗車券Ａと称する）を券売する装置で、通常、新幹線が到着出発する駅の構内（新幹線のりばの近辺）に設けられている。自動券売機１により券売される乗車券Ａは、紙製で、その裏面には、磁気記録面が設けられている。乗車券Ａの磁気記録面には、自動改札機２が読み取り可能な、出発駅および目的駅を示すデータ（以下、区間データと称する）、および乗車券有効期間を示すデータ（以下、有効期間データと称する）など、利用者の乗り降りを管理するために必要なデータ（以下、区間データおよび有効期間データを含む、利用者の乗り降りを管理するために必要なデータを切符データと称する）の他、コンテンツのデータ（この例の場合、楽曲の楽曲データ）およびその楽曲データの再生を許可するフラグ（以下、再生許可フラグ）またはその再生を禁止するフラグ（以下、再生禁止フラグ）が記録されている。
【００１２】
自動改札機２は、利用者が新幹線に乗車するときに、その入力部２１から入力された乗車券Ａに、乗車開始を示すフラグ（乗車開始フラグと称する）、および乗車券Ａに記録された（正確には、その裏面に設けられた磁気記録面に記録された）楽曲データの再生を許可する再生許可フラグを設定して、出力部２２から出力する。このとき自動改札機２のゲート２３は、開かれる。
【００１３】
自動改札機２は、利用者が新幹線から下車するときに、入力部２１から入力された乗車券Ａに、乗車終了を示すフラグ（以下、乗車終了フラグと称する）、および乗車券Ａに記録されている楽曲データの再生を禁止する再生禁止フラグを設定して、出力部２２から出力する。自動改札機２はまた、利用者が途中下車するときに、入力部２１から入力された乗車券Ａに、途中下車を示すフラグ（以下、途中下車フラグを称する）、および再生禁止フラグを設定して、出力部２２から出力する。
【００１４】
再生装置３は、利用者により携帯され、乗車券Ａに記録されている楽曲データを再生する。利用者は、再生された楽曲を、イヤホン３１を介して聴くことができる。
【００１５】
次に、自動券売機１の外観の構成例を説明する。自動券売機１の正面には、料金投入部１１、操作部１２、表示部１３、および発券部１４等が設けられている。
【００１６】
料金投入部１１には、乗車券Ａの料金および楽曲の料金分の金銭が投入される。操作部１２は、目的地および料金（自動券売機１が設置されている駅から、目的地の駅までの料金）が示される複数の区間ボタン１２Ａ、購入する楽曲を選択するときに操作される選択ボタン１２Ｂ、および楽曲の購入を中止するときに操作される中止ボタン１２Ｃ等から構成されている。表示部１３は、LCD等から構成され、料金投入部１１から投入された料金、不足額、または釣り銭額の他、購入可能な楽曲のリストを表示する。発券部１４は、乗車券Ａを発券する。
【００１７】
次に、再生装置３の外観の構成例を説明する。再生装置３の側面には、イヤホン３１が接続される端子３２の他、乗車券Ａが挿入される乗車券挿入口３３が設けられている。また、再生装置３の上面には、各種情報が表示される表示部３４、再生を開始するときに操作される再生ボタン３５、および再生を停止させるときに操作される停止ボタン３６などが設けられている。
【００１８】
次に、図２を参照して、自動券売機１の内部の構成例を説明する。
【００１９】
図２の自動券売機１の投入額検出部４１は、料金投入部１１に投入された金銭の総額を検出し、検出結果を制御部４０に出力する。入力制御部４２は、利用者による操作部１２の操作に対応した信号を、制御部４０に出力する。
【００２０】
出力制御部４３は、投入額検出部４１により投入された金銭の総額や楽曲リストなどを、表示部１３に表示させる。
【００２１】
乗車券生成部４４は、制御部４０を介して入力された切符データや楽曲データを乗車券Ａの裏面に設けられている磁気記録面に記録し、発券部１４から発券させる。
【００２２】
楽曲データ記憶部４５は、購入可能な楽曲の楽曲データの他、その楽曲の曲名、歌手名、および料金等の情報を含む楽曲リストを記憶している。切符データ記憶部４６は、切符データを記憶している。
【００２３】
制御部４０は、投入額検出部４１乃至切符データ記憶部４６の処理を制御する。制御部４０はまた、切符データを一時的に保持するメモリＡおよび楽曲データを一時的に保持するメモリＢを内蔵している。
【００２４】
次に、自動券売機１の動作について、図３のフローチャートを参照して説明する。
【００２５】
ステップＳ１において、利用者により、自動券売機１の操作部１２の区間ボタン１２Ａが操作されて、利用区間が指定され、その利用区間の料金分の金銭が、料金投入部１１から投入される。これにより、投入額検出部４１は、投入された金銭の総額を検出し、制御部４０に出力し、入力制御部４２は、操作部１２の操作に対応した信号（選択された利用区間を示す信号）を制御部４０に出力する。
【００２６】
ステップＳ２において、制御部４０は、入力制御部４２から入力された、利用区間に対応する切符データを、切符データ記憶部４６から読み出し、メモリＡに記憶する。
【００２７】
次に、ステップＳ３において、制御部４０は、楽曲リストを、楽曲データ記憶部４５から読み出すとともに、読み出した楽曲リストを、出力制御部４３を制御して、表示部１３に表示させる。これにより、表示部１３には、購入可能が楽曲の、曲名、歌手名、および料金などが示される。
【００２８】
ステップＳ４において、制御部４０は、利用者により操作部１２の選択ボタン１２Ｂが操作され、購入する楽曲が選択されたか、または中止ボタン１２Ｃが操作され、楽曲の購入が中止されたかを判定し、選択ボタン１２Ｂが操作され、楽曲が選択されたと判定した場合、ステップＳ５に進む。
【００２９】
ステップＳ５において、制御部４０は、ステップＳ４で選択された楽曲のIDを、入力制御部４２から取得するとともに、そのIDを有する楽曲の楽曲データを、楽曲データ記憶部４５から読み出し、メモリＢに記憶する。制御部４０はまた、このとき、選択された楽曲の料金を、出力制御部４３を制御して、表示部１３に表示させたり、この表示に基づいて、料金投入部１１から投入された金銭の額や釣り銭の額などを表示部１３に表示させる。
【００３０】
ステップＳ６において、制御部４０は、メモリＡの内容（ステップＳ２で記憶された切符データ）と、メモリＢの内容（ステップＳ５で記憶された楽曲データ）を、乗車券生成部４４に出力する。乗車券生成部４４は、制御部４０から入力された切符データおよび楽曲データを、乗車券Ａの裏面に設けられている磁気記録面に記録する。乗車券生成部４４はまた、再生禁止フラグを、乗車券Ａの磁気記録面に記録する。乗車券生成部４４は、このように、切符データ、楽曲データ、および再生禁止フラグを記録した乗車券Ａを、発券部１４を介して、発券する。
【００３１】
ステップＳ７において、制御部４０は、メモリＡおよびメモリＢを初期化する。これにより、メモリＡおよびメモリＢには、所定の初期値が設定される。その後、処理は終了する。
【００３２】
ステップＳ４において、楽曲の購入が中止されたと判定された場合、ステップＳ５の処理はスキップされて、ステップＳ６に進む。すなわち、この場合、メモリＢには、楽曲データが記憶されないので、ステップＳ６において、楽曲データが記録されていない乗車券Ａが発券される。
【００３３】
以上のようにいて、自動券売機１から乗車券を購入する際、所定の楽曲データも同時に購入することができるが、例えば、各駅または各路線ごとに、利用者が購入することができるコンテンツを設けることより、各駅または各路線の特徴を生かしたサービスを提供することができる。
【００３４】
次に、楽曲データが記録されている乗車券Ａを利用する方法について説明する。この例の場合、乗車券Ａには、楽曲Ｗの楽曲データＷDおよび東京（東京駅）から仙台（仙台駅）までの利用区間に対応する切符データＷCが記録されているものとする。
【００３５】
乗車券Ａを購入した利用者が、新幹線に乗車する際、東京駅の自動改札機２の入力部２１に、乗車券Ａを入力すると、乗車券Ａには、乗車開始フラグと再生許可フラグが設定される。その後、乗車券Ａは、出力部２２から出力される。
【００３６】
乗車開始フラグおよび再生許可フラグが設定された乗車券Ａを受け取った利用者は、新幹線に乗車し、再生装置３の乗車券挿入口３３に、乗車券Ａを挿入し、再生ボタン３３を操作する。これにより、再生装置３において、挿入された乗車券Ａに、再生許可フラグが記録されているか否かが判定され、この例の場合のように、再生許可フラグが設定されている場合、乗車券Ａに記録されている楽曲データＷDを再生するための処理が開始される。その結果、利用者は、イヤホン３１を介して楽曲Ｗを聴くことができるようになる。一方、再生禁止フラグが記録されていると判定された場合、再生装置３において、楽曲データＷDを再生するための処理は開始されず、このため、利用者は、楽曲Ｗを聴くことができない。
【００３７】
新幹線が、仙台駅（目的駅）に到着し、利用者Ａが下車する際、仙台駅の自動改札機２の入力部２１に、乗車券Ａを入力すると、乗車券Ａには、乗車終了フラグおよび再生禁止フラグが設定される。乗車券Ａは、このとき、自動改札機２により回収される。
【００３８】
以上のようにして、利用者は、利用区間の間において、乗車券Ａに記録された楽曲Ｗを聴くことができる。
【００３９】
次に、上述した例において、利用者Ａが、東京駅乃至仙台駅の途中の駅である、例えば、宇都宮駅で下車した場合、すなわち、途中下車した場合について説明する。利用者Ａは、宇都宮駅に到着し、宇都宮駅の自動改札機２の入力部２１に、乗車券Ａを入力すると、乗車券Ａには、途中下車フラグおよび再生禁止フラグが設定される。乗車券Ａは、出力部２２から出力される。すなわち、この場合、利用者が、乗車券Ａを保持することになるが、乗車券Ａには、再生禁止フラグが設定されているので、乗車券Ａに記録されている楽曲データＷDは、再生装置３において再生されない。
【００４０】
その後、利用者が、新幹線に再び乗車するために、宇都宮駅の自動改札機２の入力部２１に、乗車券Ａを入力すると、乗車券Ａに設定された途中下車フラグが解除され、乗車開始フラグが設定されるとともに、乗車券Ａには、再生許可フラグが設定される。乗車券Ａは、出力部２２から出力される。これにより、乗車券Ａに記録されている楽曲データの再生が可能となり、利用者は、イヤホン３１を介して、その楽曲Ｗを聴くことができる。
【００４１】
なお、以上においては、自動券売機１が、新幹線に乗車するための乗車券Ａを券売する場合を例として説明したが、他の電車（例えば、山手線）または地下鉄などに乗車するための乗車券を券売することもできる。この場合においても、利用者は、利用区間において、その乗車券に記録されたコンテンツ（楽曲データ）を使用（再生）することができる。
【００４２】
また、以上においては、乗車券Ａにコンテンツが記録される場合を例として説明したが、同様に、紙製で磁気記録面を有する、オレンジカード（商標）や飛行機の搭乗券などにコンテンツを記録することもできる。さらに、紙製ではあるが、一般的に、磁気記録面が設けられていない、例えば、コンサートの予約券や回数券に、磁気記録面を設け、それにコンテンツを記録するようにすることもできる。
【００４３】
また、紙以外の材質、例えば、プラスチック等で作られたクレジットカードの磁気記録面に、または、ICカードやPCMCIAなどに組み込まれているメモリにコンテンツを記録することもできる。さらに、リモートカード（ferica）、ハードディスク（IBMマイクロデバイス（商標））、またはパーソナルコンピュータなどに記録することもできる。
【００４４】
また、以上においては、提供されるコンテンツが、楽曲データである場合を例として説明したが、ゲームソフト、ナビゲーションソフト、旅行ガイド、または小説などとすることもできる。
【００４５】
さらに、以上においては、コンテンツが、磁気記録面に記録される場合を例として説明したが、コンテンツのデータをバーコードデータに変換して、記録媒体に貼付することもできる。
【００４６】
また、以上においては、所定のフラグ（再生許可フラグまたは再生禁止フラグ）を乗車券Ａに設定し、楽曲データの再生を制限する場合を例として説明したが、コンテンツ自体を消去するようにして、コンテンツの使用を制限することもできる。また、コンテンツを使用する際に必要なパスワードを設けたりすることもできる。
【００４７】
また、以上においては、コンテンツが提供される場合を例として説明したが、コンテンツの代わりに、例えば、新幹線内の無線網にアクセスすることができるアクセス権（例えば、URL）を提供するようにすることもできる。これにより、利用者は、その無線網にアクセスし、例えば、無線網が提供するサービス（ラジオ放送）を利用することができるようになる。
【００４８】
また、以上においては、出発駅から目的駅への移動中に限り、コンテンツの使用を可能とする場合を例として説明したが、例えば、所定の時間または時刻に限って、その使用を可能とすることもできる。
【００４９】
また、以上においては、所定の料金を支払うことことで、だれでも、コンテンツを購入する場合を例として説明したが、例えば、所定の駅を、一定回数以上利用した利用者のみが、コンテンツを購入することができるようにするなど、コンテンツの購入にあたり、制限を設けることもできる。
【００５０】
上述した一連の処理は、ハードウエアにより実行させることもできるが、ソフトウエアにより実行させることもできる。一連の処理をソフトウエアにより実行する自動券売機について説明する。
【００５１】
図４の自動券売機１０１は、例えばコンピュータで構成される。CPU（Central Processing Unit）１１１にはバス１１５を介して入出力インタフェース１１６が接続されており、CPU１１１は、入出力インタフェース１１６を介して、ユーザから、キーボード、マウスなどよりなる入力部１１８から指令が入力されると、例えば、ROM（Read Only Memory）１１２、ハードディスク１１４、またはドライブ１２０に装着される磁気ディスク１３１、光ディスク１３２、光磁気ディスク１３３、若しくは半導体メモリ１３４などの記録媒体に格納されているプログラムを、RAM（Random Access Memory）１１３にロードして実行する。さらに、CPU１１１は、その処理結果を、例えば、入出力インタフェース１１６を介して、LCD（Liquid Crystal Display）などよりなる表示部１１７に必要に応じて出力する。なお、プログラムは、ハードディスク１１４やROM１１２に予め記憶しておき、自動券売機１０１と一体的にユーザに提供したり、磁気ディスク１３１、光ディスク１３２、光磁気ディスク１３３，半導体メモリ１３４等のパッケージメディアとして提供したり、衛星、ネットワーク等から通信部１１９を介してハードディスク１１４に提供することができる。
【００５２】
なお、本明細書において、システムの用語は、複数の装置、手段などより構成される全体的な装置を意味するものとする。
【００５３】
また、本明細書において、記録媒体により提供されるプログラムを記述するステップは、記載された順序に沿って時系列的に行われる処理はもちろん、必ずしも時系列的に処理されなくとも、並列的あるいは個別に実行される処理をも含むものである。
【００５４】
【発明の効果】
請求項１に記載の自動券売機、請求項２に記載の情報処理方法、および請求項３に記載の記録媒体によれば、選択した第１のサービスに基づいて決定される条件の範囲内で使用可能な第２のサービスを選択し、第１のサービスに対応した切符データ、および第２のサービスに対応した楽曲データを取得し、楽曲データの読み出しが許容されているか否かを判定するために必要な再生可能フラグまたは再生禁止フラグであり、自動券売機および自動改札機により設定される第３のデータが記録される乗車券に記録するようにしたので、変化に富んだサービスを提供することができる。
【図面の簡単な説明】
【図１】本発明を適用した楽曲データ提供システムの構成例を示す図である。
【図２】図１の自動券売機１の内部の構成例を示すブロック図である。
【図３】自動券売機１の動作を説明するフローチャートである。
【図４】自動券売機１０１の内部の構成例を示すブロック図である。
【符号の説明】
１  自動券売機，  ２  自動改札機，  ３  再生装置，  １１  料金投入部，１２  操作部，  １３  表示部，  １４  発券部，  ２１  入力部，  ２２  出力部，  ２３  ゲート，  ３１  イヤホン，  ３２  端子，  ３３  乗車券挿入口，  ３４  表示部，  ３５  再生ボタン，  ３６  停止ボタン，  ４０  制御部，  ４１  投入額検出部，  ４２  入力制御部，  ４３  出力制御部，  ４４  乗車券生成部，  ４５  楽曲データ記憶部，  ４６  切符データ記憶部
【図１】
0004193312.tif 000002
【図２】
0004193312.tif 000003
【図３】
0004193312.tif 000004
【図４】
0004193312.tif 000005